(57)【特許請求の範囲】
【請求項１】
医薬品情報データベースに記憶されている医薬品情報に対して検索を実行する医薬品情報検索手段と、
文献情報データベースに記憶されている文献情報に対して検索を実行する文献情報検索手段と、
上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示する検索制御手段とを有することを特徴とする情報検索装置。
【請求項２】
上記医薬品情報検索手段および上記文献情報検索手段に対して横断的に検索を実行させ、上記医薬品情報検索手段の検索結果および上記文献情報検索手段の検索結果を統合してソートして上記主表示領域に表示する横断検索制御手段をさらに有する請求項１記載の情報検索装置。
【請求項３】
上記横断検索制御手段は、キーワードごとに関連キーワードを登録する関連キーワードデータベースを上記医薬品情報検索手段および上記文献情報検索手段ごとに設け、上記関連キーワードデータベースを参照して検索キーワードに対する関連キーワードを上記医薬品情報検索手段および上記文献情報検索手段のそれぞれに対して抽出し、上記医薬品情報検索手段および上記文献情報検索手段のそれぞれに対して抽出した関連キーワードを統合して第１の副表示領域に表示し、さらに、上記医薬品情報検索手段の検索結果の簡略一覧および上記文献情報検索手段の検索結果の簡略一覧を第２の副表示領域に表示する請求項２記載の情報検索装置。
【請求項４】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示する請求項３記載の情報検索装置。
【請求項５】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示するときに、上記第１の副表示領域に上記医薬品情報検索手段に対する関連キーワードの一覧を表示し、上記第２の副表示領域に上記文献情報検索手段に対する関連キーワードの一覧を表示する請求項４記載の情報検索装置。
【請求項６】
医療製品情報に対する検索を実行する医療製品情報検索手段および／または書籍情報に対する検索を実行する書籍情報検索手段をさらに有し、上記横断検索制御手段は、上記医薬品情報検索手段および上記文献情報検索手段に加えて、上記医療製品情報検索手段および／または上記書籍情報検索手段に対して横断的に検索を実行させ、上記医薬品情報検索手段の検索結果および上記文献情報検索手段の検索結果に加えて上記医療製品情報検索手段の検索結果および／または上記書籍情報検索手段の検索結果を統合してソートして上記主表示領域に表示する請求項２〜５のいずれかに記載の情報検索装置。
【請求項７】
医薬品情報検索手段が、医薬品情報データベースに記憶されている医薬品情報に対して検索を実行するステップと、
文献情報検索手段が、文献情報データベースに記憶されている文献情報に対して検索を実行するステップと、
検索制御手段が、上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示するステップとを有することを特徴とする情報検索方法。
【請求項８】
コンピュータを、
医薬品情報データベースに記憶されている医薬品情報に対して検索を実行する医薬品情報検索手段、
文献情報データベースに記憶されている文献情報に対して検索を実行する文献情報検索手段、
上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示する検索制御手段
として機能させるための情報検索用コンピュータプログラム。
【請求項９】
複数の情報検索手段と、
少なくとも上記複数の情報検索手段に対して横断的に検索を実行させ、上記複数の情報検索手段のそれぞれの検索結果を統合してソートして主表示領域に表示する横断検索制御手段と、
上記複数の情報検索手段について各々関連キーワードデータベースを記憶する関連キーワードデータベース記憶手段と、
上記関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示する横断検索結果表示制御手段と、
上記複数の情報検索手段の各々の検索結果の簡略一覧にそれぞれ関連して詳細一覧を指示する複数の指示ボタンのいずれか操作して上記複数の情報検索手段のうちの対応するものの検索結果の詳細一覧を上記主表示領域に表示し、上記第１の副表示領域に上記複数の情報検索手段のうちの当該対応するものに対する関連キーワードの一覧を表示し、上記第２の副表示領域に上記複数の情報検索手段のうちの当該対応するもの以外のものに対する関連キーワードの一覧を表示する個別検索結果表示制御手段とを有することを特徴とする情報検索装置。
【請求項１０】
複数の情報検索手段を用いて横断検索を行う情報検索方法において、
横断検索制御手段が、少なくとも上記複数の情報検索手段に対して横断的に検索を実行させ、上記複数の情報検索手段のそれぞれの検索結果を統合してソートして主表示領域に表示するステップと、
上記複数の情報検索手段について各々関連キーワードデータベースを記憶する関連キーワードデータベース記憶手段と、
横断検索結果表示制御手段が、上記複数の情報検索手段について各々関連キーワードデータベースを記憶する関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示するステップと、
個別検索結果表示制御手段が、上記複数の情報検索手段の各々の検索結果の簡略一覧にそれぞれ関連して詳細一覧を指示する複数の指示ボタンのいずれか操作して上記複数の情報検索手段のうちの対応するものの検索結果の詳細一覧を上記主表示領域に表示し、上記第１の副表示領域に上記複数の情報検索手段のうちの当該対応するものに対する関連キーワードの一覧を表示し、上記第２の副表示領域に上記複数の情報検索手段のうちの当該対応するもの以外のものに対する関連キーワードの一覧を表示するステップとを有することを特徴とする情報検索方法。
【請求項１１】
複数の情報検索手段とともに使用される情報検索用コンピュータプログラムであって、
コンピュータを、
少なくとも上記複数の情報検索手段に対して横断的に検索を実行させ、上記複数の情報検索手段のそれぞれの検索結果を統合してソートして主表示領域に表示する横断検索制御手段、
上記複数の情報検索手段について各々関連キーワードデータベースを記憶する関連キーワードデータベース記憶手段と、
上記関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示する横断検索結果表示制御手段、
上記複数の情報検索手段の各々の検索結果の簡略一覧にそれぞれ関連して詳細一覧を指示する複数の指示ボタンのいずれか操作して上記複数の情報検索手段のうちの対応するものの検索結果の詳細一覧を上記主表示領域に表示し、上記第１の副表示領域に上記複数の情報検索手段のうちの当該対応するものに対する関連キーワードの一覧を表示し、上記第２の副表示領域に上記複数の情報検索手段のうちの当該対応するもの以外のものに対する関連キーワードの一覧を表示する個別検索結果表示制御手段
として機能させるための情報検索用コンピュータプログラム。
【発明の詳細な説明】
【技術分野】
【０００１】
この発明は、情報検索技術に関し、とくに、複数の検索サーバを用いて検索を行う横断検索技術に関する。
【背景技術】
【０００２】
複数の検索サーバに対して横断的に検索を要求して検索結果を利用者に提示する横断検索サービスが知られている（特許文献１）。ところで、このような横断検索サービスは、同一種類の検索サーバに対して横断的に検索を行うものであり、検索対象が異なる分野に属する複数の検索サーバに対して横断的に検索を行うものは知られていなかった。
【０００３】
医療関連では、医薬品、医療機器、医療関連の文献、医学書、医療関連ニュース等について検索サービスが実施され、あるいは実施されつつある。このような検索サービスについても横断的な検索を行えれば、大変便利である。
【０００４】
また、医療関連の情報について横断検索を行う際に、医薬品、医療機器等に対して検索して取得した情報に併せて、関連する文献情報を取得できれば、大変便利である。医薬品や医療機器については法律により添付文書において警告・使用上の注意、品目仕様その他の重要事項の記載が定められ、そのなかに文献の引用がなされている。添付文書記載の文献のほかに重要な文献もあり、それを併せて提示できれば大変便利である。
【０００５】
なお、上述の従来技術やその問題点は、この発明の背景の一部を説明するためにのみ説明している。この発明は上述の従来技術や問題点に限定されるものではない点に留意されたい。
【先行技術文献】
【特許文献】
【０００６】
【特許文献１】特開２００４−５４３６７号公報
【発明の開示】
【発明が解決しようとする課題】
【０００７】
この発明は、以上の事情を考慮してなされたものであり、医療関連の検索サービスを横断的に行うのに適した情報検索技術を提供することを目的としている。
【課題を解決するための手段】
【０００８】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００９】
すなわち、この発明の一側面によれば、上述の目的を達成するために、情報検索装置に：医薬品情報データベースに記憶されている医薬品情報に対して検索を実行する医薬品情報検索手段と；文献情報データベースに記憶されている文献情報に対して検索を実行する文献情報検索手段と；上記医薬品情報検索手段に対する検索結果から選択された１の医薬品情報を医薬品の添付文書に含まれる文献の一覧を含ませて主表示領域に表示するときに当該医薬品の名称をキーとする上記文献情報検索手段による検索の検索結果として得た文献の一覧を併せて表示する検索制御手段とを設けるようにしている。
【００１０】
この構成によれば、医薬品の添付文書に含まれる文献に加えて関連文献を提示することができる。
【００１１】
主表示領域は、表示装置の画面（ウインドウ）の主たる部分に表示されるものであり、主たる部分は、補充的な表示領域が表示される場合にはそれ以外の部分であり、補充的な表示領域が表示されない場合には画面の全体であってもよい。補充的な表示領域は以下では副表示領域と呼ぶこともある。
【００１２】
検索に用いる医薬品の名称は典型的には医薬品の一般名であるけれども、商品名（商標）であってもよい。一般名は、世界保健機関(WHO, World Health Organization)に登録されている世界共通の一般的な名称であり、典型的には、日本国内における一般名である「医薬品名称調査会承認名(JAN:Japanese Accepted Name)」であるが、これに限定されず、国際的な共通名称である「国際一般名(INN:International Nonproprietary Name)」であってもよい。
【００１３】
上記医薬品情報検索手段および上記文献情報検索手段に対して横断的に検索を実行させ、上記医薬品情報検索手段の検索結果および上記文献情報検索手段の検索結果を統合してソートして上記主表示領域に表示する横断検索制御手段をさらに設けても良い。
【００１４】
上記横断検索制御手段は、キーワードごとに関連キーワードを登録する関連キーワードデータベースを上記医薬品情報検索手段および上記文献情報検索手段ごとに設け、上記関連キーワードデータベースを参照して検索キーワードに対する関連キーワードを上記医薬品情報検索手段および上記文献情報検索手段のそれぞれに対して抽出し、上記医薬品情報検索手段および上記文献情報検索手段のそれぞれに対して抽出した関連キーワードを統合して第１の副表示領域に表示し、さらに、上記医薬品情報検索手段の検索結果の簡略一覧および上記文献情報検索手段の検索結果の簡略一覧を第２の副表示領域に表示するようにしてもよい。
【００１５】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示するようにしてもよい。
【００１６】
上記医薬品情報検索手段の検索結果の簡略一覧の詳細一覧を指示する第１の指示ボタンまたは上記文献情報検索手段の検索結果の簡略一覧の詳細一覧を指示する第２の指示ボタンを操作してそれぞれ上記医薬品情報検索手段の検索結果の詳細一覧または上記文献情報検索手段の検索結果の詳細一覧を上記主表示領域に表示するときに、上記第１の副表示領域に上記医薬品情報検索手段に対する関連キーワードの一覧を表示し、上記第２の副表示領域に上記文献情報検索手段に対する関連キーワードの一覧を表示するようにしてもよい。
【００１７】
医療製品情報に対する検索を実行する医療製品情報検索手段および／または書籍情報に対する検索を実行する書籍情報検索手段をさらに設け、上記横断検索制御手段は、上記医薬品情報検索手段および上記文献情報検索手段に加えて、上記医療製品情報検索手段および／または上記書籍情報検索手段に対して横断的に検索を実行させ、上記医薬品情報検索手段の検索結果および上記文献情報検索手段の検索結果に加えて上記医療製品情報検索手段の検索結果および／または上記書籍情報検索手段の検索結果を統合してソートして上記主表示領域に表示するようにしてもよい。
【００１８】
また、この発明の他の側面によれば、上述の目的を達成するために、情報検索装置に：複数の情報検索手段と；少なくとも上記複数の情報検索手段に対して横断的に検索を実行させ、上記複数の情報検索手段のそれぞれの検索結果を統合してソートして主表示領域に表示する横断検索制御手段と；上記複数の情報検索手段について各々関連キーワードデータベースを記憶する関連キーワードデータベース記憶手段と；上記関連キーワードデータベース記憶手段を参照して検索キーワードに対する関連キーワードを上記関連キーワードデータベースの各々から抽出し、統合して、第１の副表示領域に表示し、さらに、上記複数の情報検索手段の各々検索結果の簡略一覧を第２の副表示領域に表示する横断検索結果表示制御手段と；上記複数の情報検索手段の各々の検索結果の簡略一覧にそれぞれ関連して詳細一覧を指示する複数の指示ボタンのいずれか操作して上記複数の情報検索手段のうちの対応するものの検索結果の詳細一覧を上記主表示領域に表示し、上記第１の副表示領域に上記複数の情報検索手段のうちの当該対応するものに対する関連キーワードの一覧を表示し、上記第２の副表示領域に上記複数の情報検索手段のうちの当該対応するもの以外のものに対する関連キーワードの一覧を表示する個別検索結果表示制御手段とを設けるようにしている。
【００１９】
この構成によれば、横断検索の検索結果を統合して主表示領域に表示するときには、全体の関連キーワードと第１の副表示領域に併せて表示し、されに個別の検索手段の検索結果の簡略一覧を第２の副表示領域に併せて表示し、横断検索全体の関連キーワードの側面、および、個別の検索手段の検索結果の側面から、好ましい検索結果の取得を示唆することができる。また、個別の検索結果を主表示領域に表示するときには、第１の副表示領域に当該検索結果に関連する関連キーワードを表示し、第２の副表示鑞域に、主表示領域に表示されている検索結果以外の検索結果に関連する関連キーワードを表示し、個別の検索ごとの関連キーワードの側面からさらに好ましい件結果の取得を示唆することができる。
【００２０】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２１】
この発明の上述の側面および他の側面は特許請求の範囲に記載され以下実施例を用いて詳述される。
【発明の効果】
【００２２】
この発明によれば、医薬品の添付文書に含まれる文献に加えて関連文献を提示することができる等、横断検索に適した表示を行うことができる。
【図面の簡単な説明】
【００２３】
【図１】この発明の実施例の横断検索システムを全体として示す図である。
【図２】図１の実施例の文献データベースの例を説明する図である。
【図３】図１の実施例の医薬品情報データベースの例を説明する図である。
【図４】図１の実施例の医療機器情報データベースの例を説明する図である。
【図５】図１の実施例の医学書情報データベースの例を説明する図である。
【図６】図１の実施例の医療関連ニュースデータベースの例を説明する図である。
【図７】実施例の横断検索システムのユーザインタフェース例を説明する図である。
【図８】実施例の横断検索結果の統合詳細一覧を説明する図である。
【図９】実施例の個別の検索結果による詳細一覧を説明する図である。
【図１０】実施例の医薬品情報を表示例を説明する図である。
【図１１】実施例の横断検索結果の統合詳細一覧を生成する動作例を説明するフローチャートである。
【図１２】実施例の個別の検索結果による詳細一覧を生成する動作例を説明するフローチャートである。
【図１３】実施例の医薬品情報を表示を行う動作例を説明するフローチャートである。
【発明を実施するための形態】
【００２４】
以下、この発明を医療関連情報の横断検索システムに適用した実施例について説明する。
【００２５】
図１は、この実施例の横断検索システム１００を全体として示しており、この図において、横断検索システム１００は、医療関連情報管理センタ２００の各種コンピュータシステムと、利用者居宅（勤務先の施設も含む）３００の各種コンピュータシステムとから構成されている。図では利用者居宅３００は１つしか示さないけれども通常は複数である。医療関連情報管理センタ２００および利用者居宅３００は通信ネットワーク４００により接続されている。利用者は利用者居宅３００から通信ネットワーク４００を介して医療関連情報管理センタ２００にアクセスして以下に説明するような情報検索サービス（横断検索サービス）の提供を受ける。情報検索サービスは典型的にはキーワードや書誌事項の指定に基づいて文書を検索し、必要な場合には文献等の電子コピーまたはハードコピーを提供することであるが、これに限定されない。検索に併せて対象となる医薬品、医療機器、医学書等の注文を受け付けても良い（ウェブアプリケーションを用いたサービス）。また検索サービスに併せて、検索対象種別に合致した広告、例えば、医薬品の検索の場合には医薬品の広告を行うようにしてもよい。この例では利用者居宅３００においてウェブの閲覧ソフトウェアを用いてサービスを提供するけれども、専用のソフトウェアを用いてもよい。
【００２６】
医療関連情報管理センタ２００および利用者居宅３００内において示される各種機能ブロックは、コンピュータのハードウェア資源およびソフトウェアが協働して実現される。ソフトウェアは記録媒体２０１、３０１、または通信回線を介して提供されて、対応するコンピュータシステムにインストールされる。
【００２７】
利用者居宅３００にはクライアント端末３０２が設けられ、クライアント端末３０２上でウェブブラウザ３０３が実行される。ウェブブラウザ３０３は、情報の閲覧が可能であるとともに文献の印刷を指示したり、医薬品等の発注を行ったりすることも可能である。クライアント端末３０２は典型的にはパーソナルコンピュータであるが、これに限定されない。クライアント端末３０２は通信ネットワーク４００に接続されている。
【００２８】
医療関連情報管理センタ２００は、医療関係の文献、医薬品情報、医療機器情報、医学書情報、医療関連ニュース等、医療関係の情報を記憶管理するものである。医療関連情報管理センタ２００には、ウェブサーバ２０２、アプリケーションサーバ２０３、データベース管理システム２０４、ルータ２０５等が設けられ、これらが通信ネットワーク（例えばＬＡＮ）２０６に接続されている。ウェブサーバ２０２は、利用者居宅３００のウェブブラウザ３０３との間でデータ通信を行うためのものであり、例えばＰＯＳＴメソッドによりデータの通信を行う。もちろん他の通信ファシリティを用いてもよい。データベース管理システム２０４は、文献データベース２０４ａ、医薬品情報データベース２０４ｂ、医療機器情報データベース２０４ｃ、医学書情報データベース２０４ｄ、医療関連ニュースデータベース２０４ｅ等を管理する。アプリケーションサーバ２０３は、ウェブサーバ２０２を介して利用者居宅３００からのサービス要求を受け取って各種サービスを提供する。アプリケーションサーバ２０３は、機能的には、例えば、文献検索部２０３ａ、医薬品情報検索部２０３ｂ、医療機器情報検索部２０３ｃ、医学書情報検索部２０３ｄ、医療関連ニュース検索部２０３ｅ、横断検索部２０３ｆ、出力処理部２０３ｇ等を実現する。これらアプリケーションサーバ２０３の各種機能部は、データベース管理システム２０４が管理する、文献データベース２０４ａ、医薬品情報データベース２０４ｂ、医療機器情報データベース２０４ｃ、医学書情報データベース２０４ｄ、医療関連ニュースデータベース２０４ｅ、関連キーワードデータベース２０４ｆ、インデックス記憶部２０８等を参照して各種のサービスを提供する。アプリケーションサーバ２０３に代えてウェブサーバ２０２のｃｇｉプログラム等を用いてもよい。
【００２９】
データベース管理システム２０４に管理される文献データベース２０４ａは、これに限定されないが、例えば図２に示すようなデータを保持する。図２の例では、文献データベース２０４ａの文献レコードは、文献ＩＤ、学会名、雑誌名、巻名、論文タイトル、著者、保管位置等を含んでいる。この例ではアーカイブ２０７に文献データの実体を保管しており、保管位置はこのアーカイブ２０７における保管位置を示す。文献ＩＤは文献ごとの一意の識別子である。
【００３０】
同じくデータベース管理システム２０４に管理される医薬品情報データベース２０４ｂは、これに限定されないが、図３に示すようなデータを保持する。図３の例では、医薬品情報データベース２０４ｂの医薬品情報レコードは、商品名、一般名、メーカー、価格、カテゴリ、保管位置等を含んでいる。この例ではアーカイブ２０７に医薬品のイメージデータ等を保管しており、保管位置はこのアーカイブ２０７における保管位置を示す。医薬品の情報が、商品名、一般名、メーカー、価格、カテゴリ、説明文、イメージ等を含む文書として構成される場合には、この文書自体をアーカイブ２０７に保管してもよい。
【００３１】
同じくデータベース管理システム２０４に管理される医療機器情報データベース２０４ｃは、これに限定されないが、図４に示すようなデータを保持する。図４の例では、医療機器情報データベース２０４ｃの医療機器情報レコードは、商品名、型番、メーカー、価格、カテゴリ、保管位置等を含んでいる。この例ではアーカイブ２０７に医療機器のイメージデータ等を保管しており、保管位置はこのアーカイブ２０７における保管位置を示す。医療機器の情報が、商品名、型番、メーカー、価格、カテゴリ、説明文、イメージ等を含む文書として構成される場合には、この文書自体をアーカイブ２０７に保管してもよい。
【００３２】
同じくデータベース管理システム２０４に管理される医学書情報データベース２０４ｄは、これに限定されないが、図５に示すようなデータを保持する。図５の例では、医学書情報データベース２０４ｄの医学書情報レコードは、書名、著者、出版社、発行日、価格、保管位置等を含んでいる。この例ではアーカイブ２０７に医学書のイメージデータ、テクストデータ等を保管しており、保管位置はこのアーカイブ２０７における保管位置を示す。医学書情報が、書名、著者、出版社、発行日、価格、説明文、イメージ等を含む文書として構成される場合には、この文書自体をアーカイブ２０７に保管してもよい。
【００３３】
同じくデータベース管理システム２０４に管理される医療関連ニュースデータベース２０４ｅは、これに限定されないが、図６に示すようなデータを保持する。図６の例では、医療関連ニュースデータベース２０４ｅのニュースレコードは、ニュースソース、見出し、配信日、保管位置等を含んでいる。この例ではアーカイブ２０７にニュースのイメージデータ、テクストデータ等を保管しており、保管位置はこのアーカイブ２０７における保管位置を示す。ニュースはアーカイブ２０７に通常文書として保管される。
【００３４】
アプリケーションサーバ２０３の文献検索部２０３ａ、医薬品情報検索部２０３ｂ、医療機器情報検索部２０３ｃ、医学書情報検索部２０３ｄ、医療関連ニュース検索部２０３ｅは、それぞれ個別に検索要求を受け取って独立して情報検索を行える。情報検索は項目を指定した検索と全文を対称とした検索とを行える。項目を指定した検索では、文献検索部２０３ａ、医薬品情報検索部２０３ｂ、医療機器情報検索部２０３ｃ、医学書情報検索部２０３ｄ、医療関連ニュース検索部２０３ｅは、例えば、それぞれ文献データベース２０４ａ、医薬品情報データベース２０４ｂ、医療機器情報データベース２０４ｃ、医学書情報データベース２０４ｄ、医療関連ニュースデータベース２０４ｅを参照して検索を行える。また、全文を対称とした検索では、文献検索部２０３ａ、医薬品情報検索部２０３ｂ、医療機器情報検索部２０３ｃ、医学書情報検索部２０３ｄ、医療関連ニュース検索部２０３ｅは、たとえば、インデックス記憶部２０８に記憶されている文献検索用インデックス、医薬品情報検索用インデックス、医療機器情報検索用インデックス、医学書情報検索用インデックス、医療関連ニュース検索用インデックスを参照して検索を行う。インデックスは、キーワードごとに情報ＩＤ（例えば文献ＩＤ）、スコア等を保持している。
【００３５】
インデックスは、アーカイブ２０７に含まれている文書を、文献、医薬情報、医療機器情報、医学書情報、医療関連ニュースごとに取り出してキーワードごとのスコア算出用の情報等を割り当てる。スコア算出用の情報は例えばＴＦ・ＩＤＦ値や更新日である。各種の文書を統合して全体のインデックスを準備して全体に対する検索を行えるようにしても良い。
【００３６】
項目を指定した検索は、通常のものであり、以下では、インデックスを用いた検索およびその横断検索を中心に説明する。この実施例では、項目を指定した検索も可能としているけれども、これは必須ではなく、インデックスを用いた検索のみを採用しても良い。
【００３７】
データベース管理システム２０４に管理される関連キーワードデータベース２０４ｆは、文献、医薬品情報、医療機器情報、医学書情報、医療関連ニュースごとに関連キーワードを管理するものである。キーワードごとに１または複数の関連キーワードが登録されている。キーワードと関連キーワードとの間の関連性は情報中の共起確率や同時に入力されて検索に用いられる確率等を統計情報から取得して決定する。キーワードごとに所定の関連性以上が付与される語を関連キーワードとして登録する。作業者が個別に関連キーワードを決定しても良い。関連キーワードデータベース２０４ｆはキーワードごとに関連キーワード、関連度（共起確率等から算出する）、および関連キーワードから抽出される情報のＩＤを保持している。外部から関連キーワード辞書を入手しても良い。ただし、外部から入手した場合でも文献、医薬品情報、医療機器情報、医学書情報、医療関連ニュースごとに実データに基づいて適合化しておくことが好ましい。
【００３８】
アプリケーションサーバ２０３の文献検索部２０３ａ、医薬品情報検索部２０３ｂ、医療機器情報検索部２０３ｃ、医学書情報検索部２０３ｄ、医療関連ニュース検索部２０３ｅは、それぞれ個別に検索要求を受け取って独立して情報検索を行える。この例ではこれら文献検索部２０３ａ、医薬品情報検索部２０３ｂ、医療機器情報検索部２０３ｃ、医学書情報検索部２０３ｄ、医療関連ニュース検索部２０３ｅは、通信ネットワーク４００、ウェブサーバ２０２を介して利用者のクライアント端末３０２から送られてくる、各種の情報検索依頼を受け取ってそれぞれ文献データベース２０４ａ、医薬品情報データベース２０４ｂ、医療機器情報データベース２０４ｃ、医学書情報データベース２０４ｄ、医療関連ニュースデータベース２０４ｅ、インデックス記憶部２０８のインデックスを参照して情報の検索を行うものである。検索は、先に説明したように、項目を指定した検索および項目と無関係な検索（全文検索）がある。項目と無関係な検索はインデックスを用いて行われ、これに限定されないが、その文献ＩＤ等のレコードＩＤおよび検索スコアを含む検索結果を出力して、クライアント端末３０２に返す。クライアント端末３０２は通常の検索と同様に検索結果をスコアでソートして検索結果一覧として利用者に提示する。スコアは、インデックスに含まれるＴＦ・ＩＤＦ値や更新日等を用いて算出できる。クライアント端末３０２には、文献、医薬品情報等の文書の先頭部分やキーワードを含む重要部分を抽出しても表示しても良いし、文献データベース２０４ａ等の該当するレコードから要素項目を取り出し表示しても良い。
【００３９】
この例では、図７に示すようなユーザインタフェース５００を用いて横断検索を行う。図７の例では、検索対象指定欄５０１において検索対象を「すべて」に指定し、キーワード入力欄５０２にキーワード（例えば「糖尿病」）を入力し、検索ボタン５０３をクリックして横断検索を統合的に行うことも可能である。なお、検索対象を個別に指定して非統合的な横断検索も可能である。例えば、検索対象を「医薬品」に指定すると医薬品情報検索部２０３ｂに検索要求が送られて、医薬品情報の検索が行える。
【００４０】
アプリケーションサーバ２０３の横断検索部２０３ｆは、検索対象を「すべて」に指定した横断検索が要求されると、文献検索部２０３ａ、医薬品情報検索部２０３ｂ、医療機器情報検索部２０３ｃ、医学書情報検索部２０３ｄ、医療関連ニュース検索部２０３ｅに検索要求を転送し、これらから検索結果（スコアを含む）を取得する。アプリケーションサーバ２０３の出力処理部２０３ｇは、主表示領域、第１の副表示領域、および第２の副表示領域を記述する文書（マークアップ言語）を出力する。この文書の表示内容は図８に示すようなものである。図８の例では、中央の主表示領域５０４に、すべての検索結果を結合してスコアでソートしたヒットレコードの一覧が表示される。なお、スコアは、文献、医薬品情報等の検索対象種別ごとに重みを付しても良い。この一覧では、文献データベース２０４ａ、各ヒットレコードの表示欄５０４ａに、医薬品情報データベース２０４ｂ等に含まれる主たる情報、例えば、タイトル、著者等がほぼすべて表示されるが、これに限定されない。ヒットレコードの文献、医薬品情報等の種別も表示されて良い。また、図８の例では画面の左上に第１の副表示領域５０５が表示され、ここにすべての検索対象種別についての関連キーワードが結合され、かつソートされて表示される。関連キーワードはそれぞれ関連キーワード表示欄５０５ａに表示され、関連キーワードにより抽出可能な情報の数も表示欄５０５ｂに併せて表示されてよい。また、図８の例では画面の右側に第２の副表示領域５０６が表示され、ここで各情報種別ごとに上位の検索結果一覧が簡略的な形態に表示される。簡略的な形態は文献データベース２０４ａ、医薬品情報データベース２０４ｂ等に含まれる代表的な情報、例えば、これに限定されないが、見出し、タイトル、商品名等であり、これが簡易表示欄５０６ａに表示される。
【００４１】
なお、第２の副表示領域５０６には、詳細一覧を要求するための指示部５０６ｂが表示されており、これを操作することにより対応する情報種別例えば文献の詳細一覧が主表示領域５０４に表示されるようになる。これは図９に示すようなものである。図９の例では、主表示領域５０４に詳細一覧を要求した情報種別の検索結果（この例では医薬品）の詳細一覧が表示され、第１の副表示領域５０５には詳細一覧にかかる情報種別の関連キーワードがその情報数とともに表示欄５０５ｃ、５０５ｄに表示され、第２の副表示領域５０６には他の情報種別の関連キーワードがその情報数とともに表示欄５０６ｃ、５０６ｄに表示される。なお、図９の例では、医薬品の剤型写真、包装写真、商品名、一般名、メーカー、価格、カテゴリ等が表示され、これは図８の主表示領域５０４の表示より詳細なものである。
【００４２】
図８および図９の表示例は一例であり、これに限定されない。このような表示は出力処理部２０３ｇが、横断検索部２０３ｆの取得した検索結果に基づいて生成する文書に基づいて実現される。
【００４３】
図８および図９において主表示領域５０４（または副表示領域５０６）に表示される詳細一覧（または簡略一覧）中の１つの情報を選択するとその情報のアブストラクトや情報の本体が主表示領域５０６に表示される。副表示領域５０５、５０６がなくなって、情報内容が全体領域に表示されても良い（図１０）。
【００４４】
医薬品情報が選択された場合には、詳細一覧の内容、医薬品の外観、および、添付文書に含まれる文献一覧が表示される。さらに、出力処理部２０３ｇは、文献検索部２０３ａに一般名をキーワードとする文献検索を要求し、文献検索部２０３ａから得た文献検索結果から文献リストを生成して併せて表示する。文献リストに含まれる文献数の上限や表示閾値をなすスコア値を予め設定しておいても良い。この表示例は、医薬品情報については、図１０に示すようなものであるが、これに限定されない。
【００４５】
図８の第１の副表示領域５０５や図９の第１の副表示領域５０５または第２の副表示領域５０６に一覧表示された関連キーワードを選択すると、関連キーワードにより抽出される情報の一覧が主表示領域５０４に表示されるようになる。情報の抽出は、例えば、文献検索部２０３ａ、医薬品情報検索部２０３ｂ、医療機器情報検索部２０３ｃ、医学書情報検索部２０３ｄ、医療関連ニュース検索部２０３ｅによる検索で行うことができる。
【００４６】
つぎに、この実施例の典型的な動作例を説明する。
【００４７】
図１１は横断検索を行い統合詳細一覧を主表示領域に表示する動作例を示しており、この図において、動作の詳細は以下のとおりである。
【００４８】
［ステップＳ１０］：利用者がウェブブラウザ３０３を用いて横断検索を要求する。図７の例では、対象を「すべて」とし、所定のキーワード（例えば「糖尿病」）を入力し、「検索」指示ボタンをクリックする。
［ステップＳ１１］：ウェブサーバ２０２が利用者からの検索要求をアプリケーションサーバ２０３に送る。
［ステップＳ１２］：アプリケーションサーバ２０３の横断検索部２０３ｆが検索要求を受け取って、文献検索部２０３ａ、医薬品情報検索部２０３ｂ、医療機器情報検索部２０３ｃ、医学書情報検索部２０３ｄ、医療関連ニュース検索部２０３ｅに転送する。
［ステップＳ１３］：文献検索部２０３ａ、医薬品情報検索部２０３ｂ、医療機器情報検索部２０３ｃ、医学書情報検索部２０３ｄ、医療関連ニュース検索部２０３ｅはそれぞれ検索要求を受け取って検索を行い検索結果を横断検索部２０３ｆに返す。
［ステップＳ１４］：横断検索部２０３ｆは受け取った検索結果を記憶する。例えばアプリケーションサーバ２０３の記憶部（図示しない）等を用いて検索結果を一時記憶して良い。
［ステップＳ１５］：出力処理部２０３ｇは、検索結果に基づいて図８に示す統合詳細一覧および関連キーワード一覧を表示する文書を作成する。
［ステップＳ１６］：出力処理部２０３ｇは、作成した文書をウェブサーバ２０３を介して利用者のウェブブラウザ３０３に返す。
【００４９】
図１２は図８において詳細一覧ボタンが選択されたときの動作例を示しており、この図において、動作の詳細は以下のとおりである。
【００５０】
［ステップＳ２０］：利用者がウェブブラウザ３０３を用いて所定の情報種別の詳細一覧ボタンを選択して個別の詳細一覧を要求する。
［ステップＳ２１］：ウェブサーバ２０２が利用者からの詳細一覧要求をアプリケーションサーバ２０３に送る。
［ステップＳ２２］：横断検索部２０３ｆが個別の詳細一覧の要求を出力処理部２０３ｇにリダイレクトする。
［ステップＳ２３］：出力処理部２０３ｇが検索結果を利用して図９に示すような詳細一覧表示文書を作成する。この際、アーカイブ２０７から情報を取得しても良い。
［ステップＳ２４］：出力処理部２０３ｇは、作成した文書をウェブサーバ２０３を介して利用者のウェブブラウザ３０３に返す。
【００５１】
図１３は図８および図９において詳細一覧（簡略一覧でもよい）から１つの医薬品情報が選択されたときの動作例を示しており、この図において、動作の詳細は以下のとおりである。
【００５２】
［ステップＳ３０］：利用者がウェブブラウザ３０３を用いて１つの医薬品情報を選択して情報表示を要求する。
［ステップＳ３１］：ウェブサーバ２０２が利用者からの表示要求をアプリケーションサーバ２０３に送る。
［ステップＳ３２］：横断検索部２０３ｆが医薬品情報の情報表示の要求を出力処理部２０３ｇにリダイレクトする。
［ステップＳ３３］：出力処理部２０３ｇが要求に含まれる医薬品情報ＩＤを用いてアーカイブ２０７から医薬品情報の文書を取得する。この医薬品情報は、添付文書の文献一覧、医薬品のイメージ情報等を含む。アーカイブ２０７は、添付文書の文献一覧、医薬品のイメージ情報等を補充的な情報として保管し、これと医薬品情報データベース２０４ｂの情報と連結して医薬品情報を取得しても良い。
［ステップＳ３４］：出力処理部２０３ｇは、さらに、医薬品情報ＩＤに紐付けられた普通名をキーワードとする検索要求を横断検索部２０３ｆを介して文献検索部２０３ａに対してを行う。
［ステップＳ３５］：文献検索部２０３ａは文献検索を行い、この検索結果を横断検索部２０３ｆを介して出力処理部２０３ｇに返す。
［ステップＳ３６］：出力処理部２０３ｇは、医薬品情報（添付文書記載の文献の文献表示５００ａを含む）に、新たに検索して得た文献一覧（文献表示ｃの一覧）を結合して図１０に示すように表示を行う文書を作成する。
［ステップＳ３７］：出力処理部２０３ｇは、作成した文書をウェブサーバ２０３を介して利用者のウェブブラウザ３０３に返す。
【００５３】
図１０において、添付文書記載の文献は、医薬品情報データベース２０４ｂまたはアーカイブ２０７から取得でき、各文献のうち文献データベース２０４ａで管理されており、取得可能なものは、その文献表示５００ａの近傍に、取得可能であることを示すマーク表示５００ｂが付され、これをクリックすると、文献のハードコピーやソフトコピーを取得を要求できるようになっている。文献検索結果に含まれる文献についてもその文献表示５００ｃをクリックすることにより文献のハードコピーやソフトコピーを取得を要求できるようになっている。文献表示５００ａ、５００ｃは、例えば、著者、タイトル、出展、発行日等を含んでよいが、これに限定されない。文献検索結果に含まれる文献が添付文書記載の文献と重複する場合には、文献検索結果の表示から外しても良いし、そのまま含ませてもよい。そのまま含ませる場合には同一であることを示すように表示属性を変えたり、マークで表示しても良い。
【００５４】
なお、医療機器情報の表示の場合にも同様に添付文書に含まれる文献一覧と新たに文献検索部２０３ａで検索した検索結果を結合して表示しても良い。文献検索部２０３ａの検索キーワードは医療機器の普通名称、カテゴリ、商品名であってよく、これに限定されない。
【００５５】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。例えば、上述の例では単一のサイトで異なる検索サービスを提供するようにしているけれども、検索サービスの一部またはすべてを他のサイトで行うようにしても良い。また、この発明は、複数の医療関連の検索サービスに対して横断的に検索を行う場合に限定されず、広く、複数の検索サービスに対して横断的に検索を行い、その際に、検索サービスごとに関連キーワードの一覧を提示して情報取得の示唆を行うようにしても良い。
【符号の説明】
【００５６】
１００      横断検索システム
２００      医療関連情報管理センタ
２０２      ウェブサーバ
２０３      アプリケーションサーバ
２０３ａ      文献検索部
２０３ｂ      医薬品情報検索部
２０３ｃ      医療機器情報検索部
２０３ｄ      医学書情報検索部
２０３ｅ      医療関連ニュース検索部
２０３ｆ      横断検索部
２０３ｇ      出力処理部
２０４      データベース管理システム
２０４ａ      文献データベース
２０４ｂ      医薬品情報データベース
２０４ｃ      医療機器情報データベース
２０４ｄ      医学書情報データベース
２０４ｅ      医療関連ニュースデータベース
２０４ｆ      関連キーワードデータベース
２０５      ルータ
２０７      アーカイブ
２０８      インデックス記憶部
３００      利用者居宅
３０２      クライアント端末
３０３      ウェブブラウザ
４００      通信ネットワーク
【図１】
0005727901.tif 000002
【図２】
0005727901.tif 000003
【図３】
0005727901.tif 000004
【図４】
0005727901.tif 000005
【図５】
0005727901.tif 000006
【図６】
0005727901.tif 000007
【図７】
0005727901.tif 000008
【図８】
0005727901.tif 000009
【図９】
0005727901.tif 000010
【図１０】
0005727901.tif 000011
【図１１】
0005727901.tif 000012
【図１２】
0005727901.tif 000013
【図１３】
0005727901.tif 000014